(57)【要約】【課題】本発明の課題は、光アウトレットの筐体を、安価な物品コスト及び美観を損なわないように既設情報コンセントのプレート表面に簡単かつ確実に固定できる光アウトレットを提供することにある。【解決手段】本発明の光アウトレットは、配管内配線に用いられる情報コンセントのプレート表面に取り付けられ、建物内に光ファイバを成端する複数ピンモジュラコネクタのジャックと同様の機能を有することを特徴とするものである。【選択図】      図３
2005189538.tif 000002
【特許請求の範囲】
【請求項１】
配管内配線に用いられる情報コンセントのプレート表面に取り付けられ、建物内に光ファイバを成端する複数ピンモジュラコネクタのジャックと同様の機能を有することを特徴とする光アウトレット。
【請求項２】
情報コンセントのプレート表面に設けられた複数ピンモジュラコネクタのジャックに、取付プラグを光アウトレットの筐体を通して差し込むことにより、光アウトレットの筐体を情報コンセントのプレート表面に取り付けることを特徴とする請求項１記載の光アウトレット。
【請求項３】
情報コンセントのプレート表面に設けられた複数ピンモジュラコネクタのジャックに、取付プラグを光アウトレットの筐体を通して差し込むことにより、前記情報コンセントのプレートがどのような形状のプレートであってもプレートの取り替え、またはプレートを傷付けることなく、光アウトレットの筐体を情報コンセントのプレート表面に取り付けることを特徴とする請求項１記載の光アウトレット。
【請求項４】
情報コンセントに設けられたプレート取付用の取付枠に、固定具を光アウトレットの筐体及び情報コンセントのプレートのジャック用穴を通して取り付けることにより、光アウトレットの筐体を情報コンセントのプレート表面に取り付けることを特徴とする請求項１記載の光アウトレット。
【請求項５】
光アウトレットの筐体内に、光ファイバを収納する際に光ファイバが所定の曲率半径より小さくなることを防止する光ファイバ配線ガイドを設けたことを特徴とする請求項１、２、３又は４記載の光アウトレット。
【請求項６】
光アウトレットの筐体に、メタルケーブルが接続されて配線されるメタル端子を設けたことを特徴とする請求項１、２、３、４又は５記載の光アウトレット。
【請求項７】
光アウトレットの筐体に、光ファイバが接続されて配線される光ファイバ接続部を設けたことを特徴とする請求項１、２、３、４、５又は６記載の光アウトレット。
【請求項８】
取付プラグの取り付け時に、情報コンセントの複数ピンモジュラコネクタのジャックのコンタクトピンと導通される導通部を取付プラグに設け、メタルケーブルが接続されて配線されるメタル端子から前記導通部まで、光アウトレットの筐体内にプリント配線した導通基盤を設けたことを特徴とする請求項２又は３記載の光アウトレット。
【発明の詳細な説明】
【技術分野】
【０００１】
本発明は、配管内配線に用いられる情報コンセントのプレート表面に取り付けられ、主に住宅内等の建物内に光ファイバを成端する例えばＲＪ１１やＲＪ４５ジャック等の複数ピンモジュラコネクタのジャックと同様の機能を有する光アウトレットに関するものである。
【背景技術】
【０００２】
従来から用いられている電話用アウトレットは露出配線時に用いられる露出タイプと配管内配線時に用いられる埋め込みタイプがある。
【０００３】
この場合は住宅内の設備状況に応じて適合するタイプを選択している。この方法は配管内配線を行うユーザには壁に穴を開けずにアウトレットを設置でき、且つ壁面の別の場所にアウトレットを取り付ける必要がないため美観に優れるといったメリットがある。しかし品目が多くなることで物品コストの削減が困難であった。光ファイバを成端する光アウトレットにおいても電話用アウトレット同様に露出タイプと埋め込みタイプがあり、埋め込みタイプはプレートごと交換することになる。また光の曲率半径やコネクタ接続を考慮してプレート面から突き出たタイプになっている（例えば、非特許文献１参照。）。またスイッチングハブにおいても同様でパソコン周りに設置する据え置きタイプと埋め込みタイプが分離した形となっている。
【０００４】
【非特許文献１】「ＬＡＮ配線技術ハンドブック」ソフトバンクパブリッシング株式会社出版  ２００３年３月２７日発行  ｐ．１３８
【発明の開示】
【発明が解決しようとする課題】
【０００５】
本発明は上記の事情に鑑みてなされたもので、光アウトレットの筐体を、安価な物品コスト及び美観を損なわないように既設情報コンセントのプレート表面に簡単かつ確実に固定できる光アウトレットを提供することを目的とする。
【課題を解決するための手段】
【０００６】
上記目的を達成するために本発明の光アウトレットは、配管内配線に用いられる情報コンセントのプレート表面に取り付けられ、建物内に光ファイバを成端する複数ピンモジュラコネクタのジャックと同様の機能を有することを特徴とするものである。
【０００７】
また発明は、前記光アウトレットにおいて、情報コンセントのプレート表面に設けられた複数ピンモジュラコネクタのジャックに、取付プラグを光アウトレットの筐体を通して差し込むことにより、光アウトレットの筐体を情報コンセントのプレート表面に取り付けることを特徴とするものである。
【０００８】
また本発明は、前記光アウトレットにおいて、情報コンセントのプレート表面に設けられた複数ピンモジュラコネクタのジャックに、取付プラグを光アウトレットの筐体を通して差し込むことにより、前記情報コンセントのプレートがどのような形状のプレートであってもプレートの取り替え、またはプレートを傷付けることなく、光アウトレットの筐体を情報コンセントのプレート表面に取り付けることを特徴とするものである。
【０００９】
また発明は、前記光アウトレットにおいて、情報コンセントに設けられたプレート取付用の取付枠に、固定具を光アウトレットの筐体及び情報コンセントのプレートのジャック用穴を通して取り付けることにより、光アウトレットの筐体を情報コンセントのプレート表面に取り付けることを特徴とするものである。
【００１０】
また発明は、前記光アウトレットにおいて、光アウトレットの筐体内に、光ファイバを収納する際に光ファイバが所定の曲率半径より小さくなることを防止する光ファイバ配線ガイドを設けたことを特徴とするものである。
【００１１】
また発明は、前記光アウトレットにおいて、光アウトレットの筐体に、メタルケーブルが接続されて配線されるメタル端子を設けたことを特徴とするものである。
【００１２】
また発明は、前記光アウトレットにおいて、光アウトレットの筐体に、光ファイバが接続されて配線される光ファイバ接続部を設けたことを特徴とするものである。
【００１３】
また発明は、前記光アウトレットにおいて、取付プラグの取り付け時に、情報コンセントの複数ピンモジュラコネクタのジャックのコンタクトピンと導通される導通部を取付プラグに設け、メタルケーブルが接続されて配線されるメタル端子から前記導通部まで、光アウトレットの筐体内にプリント配線した導通基盤を設けたことを特徴とするものである。
【発明の効果】
【００１４】
本発明の光アウトレットは、光アウトレットの筐体を、安価な物品コスト及び美観を損なわないように既設情報コンセントのプレート表面に簡単かつ確実に固定できる。したがって、住宅内ネットワークを構築するのに好適するものである。
【発明を実施するための最良の形態】
【００１５】
以下図面を参照して本発明の実施の形態例を詳細に説明する。
図１は本発明に係る固定式取付プラグの第１の例を示す斜視図である。この例では８ピンモジュラコネクタ（ＲＪ４５タイプ）の固定式取付プラグ１０の場合である。すなわち、四角の箱状よりなる固定プラグ本体１１の先端面には８ピンモジュラコネクタに対応した８個のスロット１２が設けられる。前記固定プラグ本体１１の両側面にはそれぞれ３角柱状の筐体固定部１３が外方に突出して一体に設けられる。前記固定プラグ本体１１の先端面上部には発条体よりなる凸状板のラッチ１４の先端縁部が固定され、このラッチ１４の後端は前記固定プラグ本体１１の上面後方に徐々に浮き上がるように突出して設けられる。
【００１６】
図２は本発明に係る固定式取付プラグの第２の例を示す斜視図である。この例では６ピンモジュラコネクタ（ＲＪ１１タイプ）の固定式取付プラグ２０の場合である。すなわち、四角の箱状よりなる固定プラグ本体２１の先端面には６ピンモジュラコネクタに対応した６個のスロット２２が設けられる。前記固定プラグ本体２１の両側面にはそれぞれ３角柱状の筐体固定部２３が外方に突出して一体に設けられる。前記固定プラグ本体２１の先端面上部には発条体よりなる凸状板のラッチ２４の先端縁部が固定され、このラッチ２４の後端は前記固定プラグ本体２１の上面後方に徐々に浮き上がるように突出して設けられる。
【００１７】
図３は本発明に係る光アウトレット３０の一例を示す斜視図であり、図４は図３の光アウトレット３０の内部を示す説明図である。すなわち、蓋が付いた有底四角筒状の光アウトレット筐体３１の背面には凸状を２段に連通した穴よりなる２つのプラグ挿入穴３２及び円形の光ファイバ挿入穴３３が上下方向に配設される。下部のプラグ挿入穴３２の両側にはそれぞれ固定穴３４が設けられ、上部のプラグ挿入穴３２の上側及び光ファイバ挿入穴３３の下側にはそれぞれ湾曲した光ファイバ配線ガイド３５が突出して一体に設けられる。この光ファイバ配線ガイド３５は光ファイバを収納する際に光ファイバが所定の曲率半径より小さくなることを防止する。光アウトレット筐体３１の下面には光コネクタ用アダプタ３６及びメタル端子３７が設けられる。メタル端子３７にはメタルケーブル３８を介して固定式取付プラグ１０が接続される。３９はねじ穴である。
【００１８】
図５は本発明に係る光アウトレット筐体の取付方法の一例を示す分解斜視図である。既設情報コンセントには取付枠５１を介してプレート５２が取り付けられると共に、配管内配線のための配管５３及び８ピンモジュラコネクタ（ＲＪ４５タイプ）の凸状を２段に連通した穴よりなるジャック５４が設けられる。すなわち、図１で示した固定式取付プラグ１０の先端部を光アウトレット筐体３１の上部のプラグ挿入穴３２を通してプレート５２の上部の穴５５を通してジャック５４に差し込むことにより、光アウトレット筐体３１をプレート５２の表面に取り付けている。また、情報コンセントのブランクチップ５６を外すことにより、光アウトレット筐体３１の光ファイバ挿入穴３３、プレート５２の下部の穴５７及び取付枠５１の穴５８を通して光ファイバ５９を配線する。
【００１９】
図６は本発明に係る光アウトレットの取付方法の一例を示す概略的断面図である。すなわち、住宅内の壁面６１に設けられたプレート５２の表面にはがたつき防止のためのクッション６２を介在して光アウトレット筐体３１が固定式取付プラグ１０により取り付けられている。固定式取付プラグ１０は先端部を光アウトレット筐体３１の上部のプラグ挿入穴３２を通してジャック５４に差し込まれる。この場合、固定式取付プラグ１０のラッチ１４の後端部の幅の狭い部分がジャック５４およびプラグ挿入穴３２の幅の狭い穴部分に挿入されることにより係止され、固定式取付プラグ１０の筐体固定部１３とラッチ１４により光アウトレット筐体３１がプレート５２の表面に固定される。なお、ラッチ１４の後端部は光アウトレット筐体３１内に突出されるので、このラッチ１４の後端部を押し下げることにより、固定式取付プラグ１０をジャック５４から抜き出すことができ、光アウトレット筐体３１のプレート５２表面への固定を解除することができる。尚、ジャック５４は図示しない配管内配線に接続される。
【００２０】
図７は本発明に係る光アウトレットの取付方法の他の例を示す分解斜視図である。既設情報コンセントには取付枠７１を介して１個口のプレート７２が取り付けられ、前記取付枠７１には固定具引掛け部７３が設けられる。既設情報コンセントには配管内配線のための配管７４が設けられると共に、８ピンモジュラコネクタ（ＲＪ４５タイプ）の凸状を２段に連通した穴よりなるジャック７５が外される。略コの字状で背面に丸穴が開いた固定具７６の両側部を光アウトレット筐体３１の固定穴３４及びプレート７２のジャック用穴７７を通して取付枠７１の固定具引掛け部７３に引掛けて取り付ける。すなわち、光ファイバ７８及びメタルケーブル７９は固定具７６の穴、プレート７２の穴７７及び取付枠７１の穴を通して配管７４内の配線に接続される。
【００２１】
図８は本発明に係る光アウトレットの収納方法の一例を示す説明図である。２個口のプレート８１に取り付ける場合であり、光アウトレット筐体３１は固定式取付プラグ８２をプレート８１の上部の穴に差し込まれて取り付けられる。光アウトレットのメタル端子３７は固定式取付プラグ８２にメタル配線される。また、光アウトレットの光ファイバ接続部である光コネクタ用アダプタ３６に接続された光ファイバ８３は光ファイバ配線ガイド３５の周りに配線された後、光ファイバ挿入穴３３を通して配線される。
【００２２】
図９は本発明に係る光アウトレットの収納方法の他の例を示す説明図である。１個口のプレート９１に取り付ける場合であり、光アウトレット筐体３１は固定具９３をプレート９１の穴に差し込まれて取り付けられる。光アウトレットのメタル端子３７に接続されたメタルケーブル９２は固定具９３の穴及び光アウトレット筐体３１のプラグ挿入穴を通してメタル配線される。また、光アウトレットの光コネクタ用アダプタ３６に接続された光ファイバ９４は光ファイバ配線ガイド３５の周りに配線された後、固定具９３の穴及び光アウトレット筐体３１のプラグ挿入穴を通して配線される。
【００２３】
図１０は本発明に係る固定式取付プラグの第３の例を示す斜視図である。この例では６ピンモジュラコネクタ（ＲＪ１１タイプ）の固定式取付プラグ１００の場合である。すなわち、四角の箱状よりなる固定プラグ本体１０１の先端面には６ピンモジュラコネクタに対応した６個のスロット１０２が設けられ、この各スロット１０２内には６ピンモジュラコネクタに対応したコンタクトピン１０３が設けられる。このコンタクトピン１０３は、固定式取付プラグ１００の取り付け時に、情報コンセントの６ピンモジュラコネクタのジャックのコンタクトピンと接続される。前記固定プラグ本体１０１の両側面にはそれぞれ３角柱状の筐体固定部１０４が外方に突出して一体に設けられ、この筐体固定部１０４の光アウトレット筐体との接触部には導通部１０５が設けられ、この導通部１０５は所定のコンタクトピン１０３に接続される。前記固定プラグ本体１０１の先端面上部には発条体よりなる凸状板のラッチ１０６の先端縁部が固定され、このラッチ１０６の後端は前記固定プラグ本体１０１の上面後方に徐々に浮き上がるように突出して設けられる。
【００２４】
図１１は本発明に係る光アウトレットの収納方法の他の例を示す説明図である。２個口のプレート１１１に取り付ける場合であり、光アウトレット筐体３１は固定式取付プラグ１００をプレート１１１の上部の穴に差し込まれて取り付けられる。光アウトレットのメタル端子３７と固定式取付プラグ１００の導通部１０５との間はプリント配線された導通基盤１１２が設けられ、固定式取付プラグ１００がプレート１１１に差し込まれて取り付けられるときに、導通基盤１１２のプリント配線と固定式取付プラグ１００の導通部１０５が接触接続されて、メタル配線される。また、光アウトレットの光コネクタ用アダプタ３６に接続された光ファイバ１１３は光ファイバ配線ガイド３５の周りに配線された後、光ファイバ挿入穴３３を通して配線される。
【００２５】
図１２は本発明の実施形態例に係る光アウトレットを用いた配線例を示す説明図である。すなわち、メタル融合光アウトレット１２１のメタル端子１２２にはメタルコード１２３を介して電話機１２４が接続され、メタル融合光アウトレット１２１の光コネクタ用アダプタ１２５には光コード１２６を介してパソコン１２７が接続される。
【００２６】
以上のように、固定式取付プラグによって既設情報コンセントのプレートがどのような形状のプレートであってもプレートを取り替えまたはプレートを傷付けることなくプレート表面に光アウトレット筐体を取り付けることができる。また、固定式取付プラグの先端面にスロットを設けることにより、複数ピンモジュラコネクタ（ＲＪ４５、ＲＪ１１タイプ等）のジャックのコンタクトピンを損傷することはない。また、固定式取付プラグには落下防止のラッチがあり、ＲＪ４５プラグ及びＲＪ１１プラグ同様にラッチ操作によりプラグの挿抜を簡単に行うことができる。したがって、今後住宅内ＬＡＮや宅内に光ファイバが配線される時代に安価な物品開発を行えかつ美観にこだわりをもつユーザにも違和感のないかたちでネットワークを構築することができ、工事時間の短縮やブロードバンド化の促進が図れる。
【００２７】
なお、本発明は、上記実施形態例そのままに限定されるものではなく、実施段階ではその要旨を逸脱しない範囲で構成要素を変形して具体化できる。また、上記実施形態例に開示されている複数の構成要素の適宜な組み合せにより種々の発明を形成できる。例えば、実施形態例に示される全構成要素から幾つかの構成要素を削除してもよい。更に、異なる実施形態例に亘る構成要素を適宜組み合せてもよい。
【図面の簡単な説明】
【００２８】
【図１】本発明に係る固定式取付プラグの第１の例を示す斜視図である。
【図２】本発明に係る固定式取付プラグの第２の例を示す斜視図である。
【図３】本発明に係る光アウトレットの一例を示す斜視図である。
【図４】図３の光アウトレットの内部を示す説明図である。
【図５】本発明に係る光アウトレット筐体の取付方法の一例を示す分解斜視図である。
【図６】本発明に係る光アウトレットの取付方法の一例を示す概略的断面図である。
【図７】本発明に係る光アウトレットの取付方法の他の例を示す分解斜視図である。
【図８】本発明に係る光アウトレットの収納方法の一例を示す説明図である。
【図９】本発明に係る光アウトレットの収納方法の他の例を示す説明図である。
【図１０】本発明に係る固定式取付プラグの第３の例を示す斜視図である。
【図１１】本発明に係る光アウトレットの収納方法の他の例を示す説明図である。
【図１２】本発明の実施形態例に係る光アウトレットを用いた配線例を示す説明図である。
【符号の説明】
【００２９】
３０    光アウトレット
３１    光アウトレット筐体
３２    プラグ挿入穴
３３    光ファイバ挿入穴
３４    固定穴
３５    光ファイバ配線ガイド
３６    光コネクタ用アダプタ
３７    メタル端子
３８    メタルケーブル
【図１】
2005189538.tif 000003
【図２】
2005189538.tif 000004
【図３】
2005189538.tif 000005
【図４】
2005189538.tif 000006
【図５】
2005189538.tif 000007
【図６】
2005189538.tif 000008
【図７】
2005189538.tif 000009
【図８】
2005189538.tif 000010
【図９】
2005189538.tif 000011
【図１０】
2005189538.tif 000012
【図１１】
2005189538.tif 000013
【図１２】
2005189538.tif 000014